(57)【要約】      （修正有）【課題】より大口径のマイクロホンユニットを使用可能とするため、マイクロホンケース自体を音響管として用いるにあたって、音響抵抗材の添着作業を容易に行えるようにする。【解決手段】管壁に音響抵抗材により覆われた音波導入口を有する円筒状の音響管が設けられている狭指向性マイクロホンにおいて、単一指向性マイクロホンユニット３０が収納される円筒状のマイクロホンケース自体をユニットの前部音響端子の前方に向けて所望とする音響管に相当する長さ分延ばして音響管部分１０Ｃとし、音響管部分１０Ｃの管壁の所定部位に音波導入口１１０を穿設するとともに、音響管部分１０Ｃの外壁側で音波導入口１１０の周りに段部１２０ａが生ずるように凹溝１２０を形成し、段部１２０ａに音波導入口１１０を覆う音響抵抗材１３０を配置し、凹溝１２０内に音響抵抗材１３０を覆う好ましくは撥水処理が施された保護網１４０を配置する。【選択図】図２
2008103982.tif 000002
【特許請求の範囲】
【請求項１】
単一指向性マイクロホンユニットの前部音響端子側に、管壁に音響抵抗材により覆われた音波導入口を有する円筒状の音響管が設けられている狭指向性マイクロホンにおいて、
上記単一指向性マイクロホンユニットが収納される円筒状のマイクロホンケース自体を上記前部音響端子の前方に向けて上記音響管に相当する長さ分延ばして音響管部分とし、上記音響管部分の管壁の所定部位に上記音波導入口を穿設するとともに、上記音響管部分の外壁側で上記音波導入口の周りに段部が生ずるように凹溝を形成し、上記段部に上記音波導入口を覆う上記音響抵抗材を配置し、上記凹溝内に上記音響抵抗材を覆う保護網を配置してなることを特徴とする狭指向性マイクロホン。
【請求項２】
上記保護網に撥水処理が施されていることを特徴とする請求項１に記載の狭指向性マイクロホン。
【発明の詳細な説明】
【技術分野】
【０００１】
本発明は、音響管を有しガンマイクロホンとも呼ばれる狭指向性マイクロホンに関し、さらに詳しく言えば、マイクロホンユニットの円筒状マイクロホンケース自体を音響管として用いる狭指向性マイクロホンに関するものである。
【背景技術】
【０００２】
音響管を用いる狭指向性マイクロホンでは、単一指向性マイクロホンユニットの前部音響端子側に長尺の音響管が設けられる。音響管は、その管壁に音響抵抗材により覆われた音波音波導入口を有し、その音波音波導入口から音波を取り込むことにより単一指向性マイクロホンユニットの指向性を狭くしている（例えば、特許文献１参照）。
【０００３】
その一例を図４および図５により説明する。図４は従来の狭指向性マイクロホンを示す内部構造を簡略化した断面図，図５は図４のＢ−Ｂ線拡大断面図である。
【０００４】
図４に示すように、従来の狭指向性マイクロホン１Ｂでは、通常のマイクロホンよりも長尺である金属材からなる円筒状のマイクロホンケース１０が用いられる。マイクロホンケース１０の図４において左端側の先端１０ｆは開口されており、この例では、その開口部にスポンジ材などの音響抵抗材１１ａを有するキャップ１１が被せられている。
【０００５】
マイクロホンケース１０の図４において右端側の後端１０ｒには、出力コネクタ５０が一体的に装着されている。通常、出力コネクタ５０には、ＥＩＡＪ  ＲＣ−５２３６「音響機器用ラッチロック式丸型コネクタ」に規定されている３ピン型の出力コネクタ５０が用いられている。
【０００６】
マイクロホンユニットには、前部音響端子３１と後部音響端子３２とを有する静電型の単一指向性マイクロホンユニット３０が用いられる。単一指向性マイクロホンユニット３０は合成樹脂製の支持部材４１を介してマイクロホンケース１０内の所定部位に固定されている。
【０００７】
マイクロホンケース１０内は単一指向性マイクロホンユニット３０により、音響管２０が収納される先端１０ｆ側の音響管収納部１０Ａと、回路基板４２が収納される後端１０ｒ側のパワーモジュール部１０Ｂとに区画される。
【０００８】
音響管２０は、マイクロホンケース１０の先端１０ｆ側から、その後端の管端部が単一指向性マイクロホンユニット３０の前部音響端子３１の周りに嵌合するまで挿入されたのちネジ止めされる。
【０００９】
図示していないが、回路基板４２には、インピーダンス変換器としてのＦＥＴ（電界効果トランジスタ）や電源回路などを含む音声出力回路が搭載されており、そのＦＥＴのゲートに単一指向性マイクロホンユニット３０の引出電極３３が板バネ接触子４３を介して接続される。また、回路基板４２の音声出力回路は出力コネクタ５０と接続される。
【００１０】
図５の断面図を参照して、音響管２０の管壁には、例えば１８０゜対向する２箇所に丸孔もしくは長孔の音波導入口２１が穿設され、音響管２０の外壁側に音波導入口２１を覆うように音響抵抗材２２が添着されている。
【００１１】
図示していないが、通常、音波導入口２１は、その複数個が音響管２０の軸線方向に沿って一列に並べられている。また、音響抵抗材２２には、フェルト材や不織布などが用いられる。音響管２０の最外周には、音響抵抗材２２を保護するための金網などからなる保護網２２がこの例では全周にわたって設けられている。
【００１２】
この状態で、音響管２０はマイクロホンケース１０の音響管収納部１０Ａ内に挿入されるが、音響管収納部１０Ａの管壁には、音波導入口２１よりも大きな開口部１２がスリット孔として円周方向に沿って形成されている。なお、図示していないが、音響管収納部１０Ａの後端側には、後部音響端子３２用の音波導入口が形成されている。
【００１３】
【特許文献１】特開昭６２−１１８６９８号公報
【発明の開示】
【発明が解決しようとする課題】
【００１４】
上記従来例によれば、最終的に音響管２０をマイクロホンケース１０の音響管収納部１０Ａ内に挿入するようにしているため、音響管２０の外壁に音波導入口２１を覆う音響抵抗材２２を添着すればよく、その添着作業を容易に行うことができるが、次のような解決すべき課題がある。
【００１５】
すなわち、音響管２０の後端部内に、単一指向性マイクロホンユニット３０の前部音響端子３１を位置させているため、必然的に音響管２０の内径よりも直径が小さなユニットを用いる必要があるが、そうするとユニットの有効振動面積が小さくなり、それに伴って感度が低くなる。
【００１６】
一例として、マイクロホンケース１０の外径が２１ｍｍ，内径が１９ｍｍ、音響管２０の外径が１８ｍｍ，内径が１６ｍｍとすると、使用できるユニットの外径は１４ｍｍ程度ということになる。
【００１７】
なお、マイクロホンケース１０の音響管収納部１０Ａ自体を音響管にすると、上記の例では最大で外径１８ｍｍのユニットを使用することができ、外径１４ｍｍのユニットに比べて、有効振動面積は約６０％大きくなり、それに応じて感度，Ｓ／Ｎ比の向上を見込むことができる。
【００１８】
しかしながら、その場合、音響抵抗材を音響管収納部１０Ａの外壁面側に添着すると、見栄えがよくないばかりでなく、悪戯（例えばペン先での突きなど）による音響抵抗材の損傷，音響抵抗材への雨水などの液滴の染みこみによる性能劣化などの問題が生ずる。
【００１９】
この点を解決するには、音響抵抗材を音響管収納部１０Ａの内壁面側に添着すればよいのであるが、実際問題として、音響抵抗材を音響管収納部１０Ａの内壁面側に添着することは容易でないし、特により長尺で指向性の鋭い音響管を作製することはきわめて困難である。
【００２０】
したがって、本発明の課題は、より大口径のマイクロホンユニットを使用可能とするため、マイクロホンケース自体を音響管として用いるにあたって、音響抵抗材の添着作業が容易に行え、かつ、意匠的にも見栄えがよく、さらには音響抵抗材を液滴などから保護し得るようにすることにある。
【課題を解決するための手段】
【００２１】
上記課題を解決するため、請求項１に記載の発明は、単一指向性マイクロホンユニットの前部音響端子側に、管壁に音響抵抗材により覆われた音波導入口を有する円筒状の音響管が設けられている狭指向性マイクロホンにおいて、上記単一指向性マイクロホンユニットが収納される円筒状のマイクロホンケース自体を上記前部音響端子の前方に向けて上記音響管に相当する長さ分延ばして音響管部分とし、上記音響管部分の管壁の所定部位に上記音波導入口を穿設するとともに、上記音響管部分の外壁側で上記音波導入口の周りに段部が生ずるように凹溝を形成し、上記段部に上記音波導入口を覆う上記音響抵抗材を配置し、上記凹溝内に上記音響抵抗材を覆う保護網を配置してなることを特徴としている。
【００２２】
請求項２に記載の発明は、上記請求項１の狭指向性マイクロホンにおいて、上記保護網に撥水処理が施されていることを特徴としている。
【発明の効果】
【００２３】
請求項１に記載の発明によれば、単一指向性マイクロホンユニットが収納される円筒状のマイクロホンケース自体を、単一指向性マイクロホンユニットの前部音響端子の前方に向けて音響管に相当する長さ分延ばして音響管部分とし、その音響管部分の管壁の所定部位に音波導入口を穿設するとともに、音響管部分の外壁側で音波導入口の周りに段部が生ずるように凹溝を形成し、その段部に音波導入口を覆う音響抵抗材を配置し、凹溝内に音響抵抗材を覆う保護網を配置するようにしたことにより、マイクロホンケース自体を音響管として用いるにあたって、音響抵抗材の添着作業が容易に行え、かつ、意匠的にも見栄えがよく、さらには音響抵抗材を液滴などから保護することができる。
【００２４】
また、請求項２に記載の発明によれば、保護網に撥水処理が施されていることにより、雨水などの液滴が凹溝内にほとんど入り込まないため、音響抵抗材を雨水などの液滴からより確実に保護することができ、狭指向性マイクロホンとしての初期の性能を長期間にわたって維持できる。
【発明を実施するための最良の形態】
【００２５】
次に、図１ないし図３により、本発明の実施形態について説明するが、本発明はこれに限定されるものではない。図１は本発明の実施形態に係る狭指向性マイクロホンを示す内部構造が簡略化された断面図，図２は図１のＡ−Ａ線拡大断面図，図３は図２の音波音波導入口の部分を示す側面図である。なお、先の図４，図５で説明した従来例と変更を要しない構成要素にはそれと同じ参照符号を付している。
【００２６】
図１に示すように、本発明による狭指向性マイクロホン１Ａにおいても、通常のマイクロホンよりも長尺である例えば黄銅合金などの金属材からなる円筒状のマイクロホンケース１０が用いられる。マイクロホンケース１０の図１において左端側の先端１０ｆは開口されており、この例では、その開口部にスポンジ材などの音響抵抗材１１ａを有するキャップ１１が被せられている。
【００２７】
マイクロホンケース１０の図１において右端側の後端１０ｒには、出力コネクタ５０が一体的に装着されている。出力コネクタ５０は、ＥＩＡＪ  ＲＣ−５２３６「音響機器用ラッチロック式丸型コネクタ」に規定されている出力コネクタであってよい。この出力コネクタ５０は、図示しないファントム電源に接続される。
【００２８】
本発明においても、マイクロホンユニットには、前部音響端子３１と後部音響端子３２とを有する静電型の単一指向性マイクロホンユニット３０が用いられる。単一指向性マイクロホンユニット３０は合成樹脂製の支持部材４１を介してマイクロホンケース１０内の所定部位に固定されている。
【００２９】
マイクロホンケース１０内は単一指向性マイクロホンユニット３０により、先端１０ｆ側の音響管部分１０Ｃと、回路基板４２が収納される後端１０ｒ側のパワーモジュール部１０Ｂとに区画される。
【００３０】
すなわち、音響管部分１０Ｃは、単一指向性マイクロホンユニット３０の前部音響端子３１の前方に向けて所望とする音響管に相当する長さ分延ばされた部分で、先に説明した従来例の図４における音響管収納部１０Ａに相当している。
【００３１】
図示していないが、回路基板４２には、インピーダンス変換器としてのＦＥＴ（電界効果トランジスタ）や電源回路などを含む音声出力回路が搭載されており、そのＦＥＴのゲートに単一指向性マイクロホンユニット３０の引出電極３３が板バネ接触子４３を介して接続される。また、回路基板４２の音声出力回路は出力コネクタ５０と接続される。
【００３２】
図２の断面図および図３の側面図を参照して、この例において、音響管部分１０Ｃの管壁には１８０゜対向する２箇所に長孔状の音波導入口１１０が穿設されている。音波導入口１１０は丸孔であってもよいが、いずれにしても、その複数個が音響管部分１０Ｃの軸線方向に沿って一列に並べられることが好ましい。
【００３３】
なお、場合によっては、音波導入口１１０を音響管部分１０Ｃのほぼ全長にわたって延びる一連のスリット孔としてもよい。また、別の例として、音波導入口１１０を音響管部分１０Ｃの円周方向に沿った長孔（スリット孔）としてもよい。
【００３４】
本発明によると、音響管部分１０Ｃの外壁側で、音波導入口１１０の周りに段部１２０ａが生ずるように凹溝１２０が形成される。段部１２０ａは凹溝１２０の底部でもあり、この段部１２０ａに音波導入口１１０を覆う音響抵抗材１３０が配置される。音響抵抗材１３０には、上記従来例と同じく、フェルト材や不織布などが用いられてよい。
【００３５】
音響抵抗材１３０を段部１２０ａを配置したのち、凹溝１２０内に音響抵抗材１３０を保護するための保護網１４０が配置される。保護網１４０には金網が好ましく用いられるが、金属板もしくは合成樹脂板のパンチングプレートが用いられてもよい。いずれにしても、凹溝１２０内に雨水などの液滴が入り込まないようにするため、撥水処理が施されていることが好ましい。
【００３６】
本発明によれば、マイクロホンケース１０の一部分を音響管部分１０Ｃとして、音響管部分１０Ｃ内に単一指向性マイクロホンユニット３０が収納されるため、上記従来例における音響管２０を不要としている分、単一指向性マイクロホンユニット３０に口径の大きな、すなわち有効振動面積の大きなユニットを使用することができる。
【００３７】
また、音波導入口１１０に対して、音響抵抗材１３０を音響管部分１０Ｃの外面側から取り付けることができるため、その作業を容易に行うことができる。また、音響抵抗材１３０は保護網１４０により目隠しされるため、意匠上の見栄えもよい。さらには、音響抵抗材１３０に雨水などの液滴が染みこまないため、性能劣化も防止できる。
【図面の簡単な説明】
【００３８】
【図１】本発明の実施形態に係る狭指向性マイクロホンを示す内部構造が簡略化された断面図。
【図２】図１のＡ−Ａ線拡大断面図。
【図３】図２の音波音波導入口の部分を示す側面図。
【図４】従来の狭指向性マイクロホンを示す内部構造を簡略化した断面図。
【図５】図４のＢ−Ｂ線拡大断面図。
【符号の説明】
【００３９】
１Ａ  狭指向性マイクロホン
１０  マイクロホンケース
１０Ｂ  パワーモジュール部
１０Ｃ  音響管部分
１１０  音波導入口
１２０  凹溝
１２０ａ  段部
１３０  音響抵抗材
１４０  保護網
３０  単一指向性マイクロホンユニット
３１  前部音響端子
３２  後部音響端子
４２  回路基板
５０  出力コネクタ
【図１】
2008103982.tif 000003
【図２】
2008103982.tif 000004
【図３】
2008103982.tif 000005
【図４】
2008103982.tif 000006
【図５】
2008103982.tif 000007